(57)【特許請求の範囲】
【請求項１】
商用電源から加熱手段への電源供給をオンオフし第１の極と第２の極を有する少なくとも２極以上の構成からなる電源スイッチと、第１の加熱コイルと商用電源を直流に変換する第１の整流手段と前記直流電流を高周波電流に変換して前記第１の加熱コイルに供給する第１のインバータ回路とを有し前記電源スイッチの第１の極を介して商用電源から電源供給され第１の加熱部を加熱する第１の加熱手段と、第２の加熱コイルと商用電源を直流に変換する第２の整流手段と前記直流電流を高周波電流に変換して前記第２の加熱コイルに供給する第２のインバータ回路とを有し前記電源スイッチの第２の極を介して商用電源から電源供給され第２の加熱部を加熱する第２の加熱手段と、庫内の上方に設置される第３の加熱手段と前記庫内の下方に設置される第４の加熱手段を有するロースターとを備え、前記ロースターの第３の加熱手段は前記電源スイッチの第１の極を介して商用電源から電源供給され、前記ロースターの第４の加熱手段は前記電源スイッチの第２の極を介して商用電源から電源供給される構成とした加熱調理器。
【請求項２】
第１の加熱手段と第３の加熱手段の出力総和を、第２の加熱手段と第４の加熱手段の出力総和と略同等となるように構成した請求項１記載の加熱調理器。
【請求項３】
第３の加熱手段と第４の加熱手段を単独または連動して動作させる操作スイッチを備えた請求項１または２記載の加熱調理器。
【請求項４】
第１のインバータを駆動する第１の駆動手段と、前記第１の駆動手段を制御する第１の制御手段と、第２のインバータを駆動する第２の駆動手段と、前記第２の駆動手段を制御する第２の制御手段と、第３の加熱手段を駆動する第３の駆動手段と、第４の加熱手段を駆動する第４の駆動手段を備え、前記第３、第４の駆動手段は前記第１の制御手段からの信号に基づき前記第３、第４の加熱手段を駆動する構成とする請求項１〜３のいずれか１項に記載の加熱調理器。
【請求項５】
第１の制御手段と第３の駆動手段の基準電位は第１の整流手段の２次側の低電位側と同電位とし、第４の駆動手段の基準電位は第２の整流手段の２次側の低電位側と同電位とする請求項４に記載の加熱調理器。
【請求項６】
第３の加熱部の温度を検出する温度検知手段を備え、第１の制御手段は、前記温度検知手段からの検知温度に基づき前記第３の加熱手段および第４の加熱手段の出力を制御する請求項４または５に記載の加熱調理器。
【発明の詳細な説明】
【０００１】
【発明の属する技術分野】
本発明は、加熱調理器に関するものである。
【０００２】
【従来の技術】
以下に従来構成の加熱調理器について説明する。
【０００３】
図５は従来構成の加熱調理器のブロック図である。図５において１は第１の加熱部である左コンロを加熱する第１の加熱手段、２は第２の加熱部である右コンロを加熱する第２の加熱手段、３ａは第３の加熱部であるロースターを加熱するための第３の加熱手段、４は商用電源、５は商用電源から上記加熱手段への電源供給をオンオフする電源スイッチである。電源スイッチ５は２極で構成され電源スイッチの第１の極５ａは第１の加熱手段１と第３の加熱手段３ａの単極をオンオフし、電源スイッチの第２の極５ｂは第２の加熱手段２の単極をオンオフしている。６は第１の加熱手段１をオンオフする第１の操作スイッチ、７は第２の加熱手段２をオンオフする第２の操作スイッチ、８は第３の加熱手段をオンオフする第３の操作スイッチである。
【０００４】
以上のように構成された従来構成の加熱調理器では、調理器の主電源は電源スイッチ５でオンオフし、第１の操作スイッチ６、第２の操作スイッチ７、および第３の操作スイッチ８からの操作により、それぞれの加熱部の加熱動作が行われていた。
【０００５】
【発明が解決しようとする課題】
しかしながら上記従来の構成では、電源スイッチの第１の極５ａに接続されている第１の加熱手段１と第３の加熱手段３ａを同時加熱した場合、電源スイッチの第１の極５ａに流れる電流は第１の加熱手段１のと第３の加熱手段３ａに流れる電流の総和となるので、電源スイッチの第２の極５ｂに流れる電流に対して非常に大きくなる。電源スイッチ５の定格は第１の極５ａに流れる最大電流を満足しなければならないため、電源スイッチ５は定格の大きい高価なものを使用しなければならなかった。
【０００６】
また、定格の小さい小型の電源スイッチ５を使用するため、第１の加熱手段１または第３の加熱手段３ａの最大出力を低下させると、高火力調理に必要な絶対火力が得られず、調理性能が低下するという問題があった。
【０００７】
また、定格の小さい小型の電源スイッチ５を使用するため、第１の加熱手段１と第３の加熱手段３ａいずれか一方のみを選択加熱する方法とすると、第１の加熱手段１と第３の加熱手段３ａを同時使用することができないため、使い勝手が悪くなるという課題があった。
【０００８】
本発明は上記課題を解決するもので、各加熱部の同時使用が可能で各加熱部それぞれに必要な加熱出力が得られて、かつ定格が小さく低コストで小型の電源スイッチが使用可能な加熱調理器を提供することを目的とする。
【０００９】
【課題を解決するための手段】
上記目的を達成するために本発明は、第１の加熱部を加熱する第１の加熱手段と、第２の加熱部を加熱する第２の加熱手段と、第３の加熱部を加熱する第３、第４の加熱手段と、商用電源から前記第１〜第４の加熱手段への電源供給をオンオフする電源スイッチを備え、前記電源スイッチは２極以上の構成からなり、前記第１、第３の加熱手段は前記電源スイッチの第１の極を介して商用電源から電源供給され、前記第２、第４の加熱手段は前記電源スイッチの第２の極を介して商用電源から電源供給される構成とした構成とするものである。
【００１０】
これにより、第３の加熱部へ供給される電流が電源スイッチの第１の極と第２の極に分散されるため、第３の加熱部を高火力としても、３つの加熱部を同時使用する場合の電源スイッチの第１の極と第２の極に流れる最大電流のバランスがよく、定格が小さく安価な小型の電源スイッチを使用することが可能となる。
【００１１】
【発明の実施の形態】
請求項１に記載の加熱調理器は、商用電源から加熱手段への電源供給をオンオフし第１の極と第２の極を有する少なくとも２極以上の構成からなる電源スイッチと、第１の加熱コイルと商用電源を直流に変換する第１の整流手段と前記直流電流を高周波電流に変換して前記第１の加熱コイルに供給する第１のインバータ回路とを有し前記電源スイッチの第１の極を介して商用電源から電源供給され第１の加熱部を加熱する第１の加熱手段と、第２の加熱コイルと商用電源を直流に変換する第２の整流手段と前記直流電流を高周波電流に変換して前記第２の加熱コイルに供給する第２のインバータ回路とを有し前記電源スイッチの第２の極を介して商用電源から電源供給され第２の加熱部を加熱する第２の加熱手段と、庫内の上方に設置される第３の加熱手段と前記庫内の下方に設置される第４の加熱手段を有するロースターとを備え、前記ロースターの第３の加熱手段は前記電源スイッチの第１の極を介して商用電源から電源供給され、前記ロースターの第４の加熱手段は前記電源スイッチの第２の極を介して商用電源から電源供給される構成とするものである。
【００１２】
これにより、ロースターへ供給される電流が電源スイッチの第１の極と第２の極に分散されるため、ロースターを高火力としても、３つの加熱部を同時使用する場合の電源スイッチの第１の極と第２の極に流れる最大電流のバランスがよく、定格が小さく安価な小型の電源スイッチを使用することが可能となる。
【００１３】
また、高火力なロースターの両面焼き構成が容易に実現でき、電源スイッチを小型化してかつ、両面加熱や片面加熱の調理が自在にできるようになる。
【００１４】
請求項２に記載の加熱調理器は、第１の加熱手段と第３の加熱手段の出力総和を、第２の加熱手段と第４の加熱手段の出力総和と略同等となるように構成するものである。
【００１５】
これにより、電源スイッチの第１の極と第２の極に流れる最大電流がほぼ等しくなるように第３の加熱手段と第４の加熱手段の出力を設定することで、電源スイッチの片側の極に対するスペックがオーバースペックとなることなく、もっとも効率よく定格の小さい安価な小型の電源スイッチを使用することができる。
【００１６】
請求項３に記載の加熱調理器は、第３の加熱手段と第４の加熱手段を単独または連動して動作させる操作スイッチを備えた構成とするものである。
【００１７】
これにより、一つのスイッチ操作で最大火力での調理や、連続通電で中間火力の調理が可能となる。また、第３の加熱手段と第４の加熱手段の形状や取り付け構成によっては、加熱面積の切り替えや、加熱部分の切り替えが可能となり、電源スイッチを小型としてかつ、使い勝手を向上させることが可能となる。
【００１８】
請求項４に記載の加熱調理器は、第１のインバータを駆動する第１の駆動手段と、前記第１の駆動手段を制御する第１の制御手段と、前記第２のインバータを駆動する第２の駆動手段と、前記第２の駆動手段を制御する第２の制御手段と、第３の加熱手段を駆動する第３の駆動手段と、第４の加熱手段を駆動する第４の駆動手段を備え、前記第３、第４の駆動手段は前記第１の制御手段からの信号に基づき前記第３、第４の加熱手段を駆動する構成とするものである。
【００１９】
これにより、誘導加熱構成である第１の加熱手段を制御する第１の制御手段にて、第１の加熱手段と電源スイッチを同極とする第３の加熱手段と、第１の加熱手段とは電源スイッチを異極とする第４の加熱手段を制御するので、制御手段を一つのマイクロコンピュータにて構成できると共に、第３の加熱手段と第４の加熱手段の同時加熱や片側加熱、交互加熱やデューティー制御による火力設定が自在に行うことができ、電源スイッチを小型化してかつ使い勝手を向上させることができる。
【００２０】
請求項５に記載の加熱調理器は、第１の制御手段と第３の駆動手段の基準電位は第１の整流手段の２次側の低電位側と同電位とし、第４の駆動手段の基準電位は第２の整流手段の２次側の低電位側と同電位とする構成とするものである。
【００２１】
これにより、電源スイッチの異なる極に接続された第３の加熱手段と第４の加熱手段をマイクロコンピュータ等で制御する際の、基板実装上の絶縁距離等の制約を最小限とすることができ、電源スイッチを小型化して第３の加熱部をマイコン制御する場合の基板の小型化を図ることができる。
【００２２】
請求項６に記載の加熱調理器は、第３の加熱部の温度を検出する温度検知手段を備え、第１の制御手段は、前記温度検知手段からの検知温度に基づき前記第３の加熱手段および第４の加熱手段の出力を制御する構成とするものである。
【００２３】
これにより、電源スイッチを小型化して第３の加熱部を電源スイッチの異なる極に互いに接続された２つの加熱手段で構成しても、第３の加熱部の温度を一定に制御したり、第３の加熱部のオート調理を実現することが可能となる。
【００２４】
【実施例】
（実施例１）
以下本発明の第１の実施例について、図面を参照しながら説明する。
【００２５】
図１において、１は第１の加熱部である左コンロを加熱する第１の加熱手段、２は第２の加熱部である右コンロを加熱する第２の加熱手段、３は第３の加熱部であるロースターである。ロースター３の加熱出力は図２ａに示すように２つの加熱手段より構成されており、３ａはロースター３の庫内上方に設置された第３の加熱手段、３ｂはロースター３の庫内下方に設置された第３の加熱手段である。４は商用電源、５は商用電源から前記加熱手段への電源供給をオンオフする電源スイッチである。
【００２６】
電源スイッチ５は２極で構成され電源スイッチの第１の極５ａは第１の加熱手段１と第３の加熱手段３ａの単極をオンオフし、電源スイッチの第２の極５ｂは第２の加熱手段２と第４の加熱手段３ｂの単極をオンオフしている。６は第１の加熱手段１をオンオフする第１の操作スイッチ、７は第２の加熱手段２をオンオフする第２の操作スイッチ、８は第３の加熱手段３ａおよび第４の加熱手段３ｂをオンオフする第３の操作スイッチである。
【００２７】
以上のように構成された加熱調理器についてその動作を説明する。
【００２８】
調理器の主電源は電源スイッチ５でオンオフし、左コンロを加熱する場合は第１の操作スイッチ６を操作して第１の加熱手段１を通電し、右コンロを加熱する場合は、第２の操作スイッチ７を操作して第２の加熱手段２を通電する。また、ロースター３を加熱する場合は、第３の操作スイッチ８を操作して第３の加熱手段３ａおよび第４の加熱手段３ｂを通電する。第３の操作スイッチ８は３つのコース選択が可能となっており、両面焼きを選択すると第３の加熱手段３ａをオンオフする第３の操作スイッチＡ８ａと第４の加熱手段３ｂをオンオフする第３の操作スイッチＢ８ｂが同時にオンされて、第３の加熱手段３ａと第４の加熱手段３ｂをそれぞれ通電する。また、上面焼きを選択すると第３の操作スイッチＡ８ａのみがオンされて、第３の加熱手段３ａが通電される。
【００２９】
全ての加熱手段を同時に通電したときに電源スイッチ５に流れる電流は、電源スイッチの第１の極５ａには、第１の加熱手段１に流れる電流Ｉ１と第３の加熱手段３ａに流れる電流Ｉ３の総和であるＩａの電流が流れる。また電源スイッチの第２の極５ｂには、第２の加熱手段２に流れる電流Ｉ２と第４の加熱手段３ｂに流れる電流Ｉ４の総和であるＩｂの電流が流れる。Ｉａ＞Ｉｂの場合は電源スイッチ５は定格Ｉａ以上のものを選定すればよく、電源スイッチ５の経路にあたる配線や、コネクタの温度上昇についてもＩａで規格を満足すればよい。Ｉａ＝Ｉｂとなるように第３の加熱手段３ａの電流Ｉ３と第４の加熱手段３ｂの電流Ｉ４を調整すると、一方の極の電源スイッチ５の定格がオーバースペックとなることなく、さらに効率よく定格の小さい安価で小型の電源スイッチ５を使用することが可能となる。
【００３０】
なお、本実施例では第３の加熱部をロースターとして説明したが、第３のコンロでもよく、第３のコンロは左、右、中央いずれのコンロでもよい。第３の加熱部をコンロとする場合は図２ｂに示すように、第３の加熱手段３ａをコンロの内側に配設し、第３の加熱手段３ａの外周に第４の加熱手段３ｂを配設すると、加熱面積を切り替えることが可能となる。
【００３１】
また、図２ｃに示すように、第３の加熱手段３ａと第４の加熱手段３ｂを平行にスパイラル状に巻いた形状とすることで、単位面積あたりの加熱出力を切り替えることが可能となる。
【００３２】
また、図２ｄに示すように第３の加熱手段を左側、第４の加熱手段を右側に配設することで、半面加熱と全面加熱の切り替えが可能となる。
【００３３】
以上のように本実施例によれば、第３の加熱部へ供給される電流が電源スイッチの第１の極５ａと第２の極５ｂに分散されるため、第３の加熱部を高火力としても、３つの加熱部を同時使用する場合の電源スイッチの第１の極５ａと第２の極５ｂに流れる最大電流のバランスがよく、定格が小さく安価な小型の電源スイッチを使用することが可能となる。
【００３４】
また、電源スイッチの第１の極５ａと第２の極５ｂに流れる最大電流がほぼ等しくなるように第３の加熱手段３ａと第４の加熱手段３ｂの出力を設定することで、電源スイッチ５の片側の極に対するスペックがオーバースペックとなることなく、もっとも効率よく定格の小さい安価な小型の電源スイッチを使用することが可能となる。
【００３５】
また、第３の操作スイッチ８により、一つのスイッチ操作で最大火力での調理や、連続通電で中間火力の調理が可能となる。また、第３の加熱手段と第４の加熱手段の形状や取り付け構成によっては、加熱面積の切り替えや、加熱部分の切り替えが可能となる。
【００３６】
また、第３の加熱部をロースター構成とすると、高火力なロースターの両面焼き構成が容易に実現でき、電源スイッチを小型化してかつ、両面加熱や片面加熱の調理が自在にできるようになる。
【００３７】
（実施例２）
以下、本発明の第２の実施例について、図面を参照しながら説明する。
【００３８】
図３において、１〜５は第１の実施例と同じであり説明を省略する。
【００３９】
１ａは第１の加熱コイル、１ｂは第１の整流手段、１ｃは第１のインバータ回路で１ａ、１ｂ、１ｃにより第１の加熱手段１を構成している。２ａは第２の加熱コイル、２ｂは第２の整流手段、２ｃは第２のインバータ回路で２ａ、２ｂ、２ｃにより第２の加熱手段２を構成している。９は第１の加熱手段１を駆動する第１の駆動手段、１０は第１の駆動手段を制御する第１の制御手段、１１は第２の加熱手段２を駆動する第２の駆動手段、１２は第２の駆動手段を制御する第２の制御手段、１３は第３の加熱手段３ａを駆動する第３の駆動手段、１４は第４の加熱手段３ｂを駆動する第４の駆動手段、１５は第３の加熱部であるロースターの庫内温度を検知する温度検知手段である。第１の制御手段１０および第２の制御手段１２はそれぞれマイクロコンピュータにて構成されている。また、第３の駆動手段１３および第４の駆動手段はそれぞれリレーとリレー駆動回路にて構成されている。
【００４０】
以上のように構成された加熱調理器についてその動作を説明する。
【００４１】
調理器の主電源は電源スイッチ５でオンオフしている。左コンロを加熱する場合は第１の制御手段１０は第１の駆動手段９を動作させ、第１のインバータ回路１ｃを動作させることにより第１の加熱コイル１ａに高周波電流を供給し、第１の加熱コイル１ａ上方にある負荷鍋を加熱する。また、右コンロを加熱する場合は左コンロと同様に、第２の制御手段１２は第２の駆動手段１１を動作させ、第２のインバータ回路２ｃを動作させることにより第２の加熱コイル２ａに高周波電流を供給し、第２の加熱コイル２ａ上方にある負荷鍋を加熱する。
【００４２】
また、ロースター３を加熱する場合は第１の制御手段１０は第３の駆動手段１３と第４の駆動手段１４を動作させ、第３の加熱手段３ａと第４の加熱手段３ｂをそれぞれ通電させる。ロースター３の通電パターンは調理メニューに応じて、第３の加熱手段３ａと第４の加熱手段３ｂを同時通電する両面加熱、あるいは第３の加熱手段３ａまたは第４の加熱手段３ｂを単独で通電する片面加熱、あるいは所定時間ごとに第３の加熱手段３ａと第４の加熱手段３ｂを交互に通電する交互加熱となるように、第１の制御手段１０により制御される。また、ロースター３の火力設定に応じて第１の制御手段１０は第３の加熱手段３ａと第４の加熱手段３ｂをデューティー制御による加熱制御を行う。
【００４３】
また、温度検知手段１５からの信号により、ロースター３庫内の温度が一定に保つように第１の制御手段１０は第３の加熱手段３ａと第４の加熱手段３ｂの加熱出力を制御する。また、ロースター３庫内の温度が所定温度以上となると第１の制御手段１０は第３の加熱手段３ａと第４の加熱手段３ｂの加熱出力を停止させる。また、ロースター３のオート調理時には温度検知手段１５からの信号に基づいて第１の制御手段１０は第３の加熱手段３ａと第４の加熱手段３ｂをオンオフする。
【００４４】
全ての加熱手段を同時に通電したときに電源スイッチ５に流れる電流は、第１の極５ａには、第１の加熱手段に流れる電流Ｉ１と第３の加熱手段３ａに流れる電流Ｉ３の総和であるＩａの電流が流れる。また第２の極５ｂには、第２の加熱手段に流れる電流Ｉ２と第４の加熱手段３ｂに流れる電流Ｉ４の総和であるＩｂの電流が流れる。Ｉａ＞Ｉｂの場合は電源スイッチ５は定格Ｉａ以上のものを選定すればよく、電源スイッチ５の経路にあたる配線や、コネクタの温度上昇についてもＩａで規格を満足すればよい。
【００４５】
なお、本実施例では第３の加熱部をロースターとして説明したが、第３のコンロである中央コンロでもよい。また、第１の加熱手段１と第２の加熱手段２は左右いずれのコンロでもかまわない。
【００４６】
以上のように本実施例によれば、誘導加熱構成である第１の加熱手段１を制御する第１の制御手段１０にて、第１の加熱手段１と電源スイッチ５を同極とする第３の加熱手段３ａと、第１の加熱手段１とは電源スイッチ５を異極とする第４の加熱手段３ｂを制御するので、制御手段を一つのマイクロコンピュータにて構成できると共に、第３の加熱手段３ａと第４の加熱手段３ｂの同時加熱や片側加熱、交互加熱やデューティー制御による火力設定が自在に行うことができる。
【００４７】
また、温度検知手段１５からの信号により、電源スイッチを小型化して第３の加熱部３を電源スイッチ５の異なる極に互いに接続された２つの加熱手段で構成しても、第３の加熱部３の温度を一定に制御したり、第３の加熱部３のオート調理を実現することが可能となる。
【００４８】
（実施例３）
以下、本発明の第３の実施例について、図面を参照しながら説明する。
【００４９】
図３および動作は第２の実施例と同じであり、説明を省略する。
【００５０】
図４において、１３ａは第３の加熱手段３ａの電流をオンオフする第１のリレー、１３ｂは第１のリレーを駆動する第１のリレー駆動回路で１３ａと１３ｂで第３の駆動手段１３は構成されている。１４ａは第４の加熱手段３ｂの電流をオンオフする第２のリレー、１４ｂは第２のリレーを駆動する第２のリレー駆動回路で１４ａと１４ｂで第４の駆動手段１４は構成されている。
【００５１】
第１の制御手段１０と第１のリレー駆動回路１３ｂの基準電位は、第１の整流手段１ｂの２次側の低電位側である「１ｂ−」と同電位となるように接続されている。また、第２のリレー駆動回路１４ｂの基準電位は、第２の整流手段１ｂの２次側の低電位側である「２ｂ−」と同電位となるように接続されており、第１の制御手段１０からの制御信号はフォトカプラ１６を介して第２のリレー駆動回路１４ｂに送信されている。
【００５２】
以上のように構成された加熱調理器においては、電源スイッチの第１の極５ａを介して電源供給される回路と、第２の極５ｂを介して電源供給される回路とは異なるプリント配線板上に実装されている。フォトカプラ１６は電源スイッチの第２の極５ｂ側の回路を実装しているプリント配線板上に実装されており、第１の制御手段１０からリード線とコネクタを介してフォトカプラ１６に接続されている。コネクタおよびフォトカプラ１６の１次側と電源スイッチ５の第２の極５ｂ側の制御回路は異極間となるので、絶縁距離は充電部と同等の距離が必要とされるが、フォトカプラ１６の２次側と第４の駆動手段１４までの接続は周辺回路に対して小信号系回路の絶縁距離で十分である。
【００５３】
なお、フォトカプラ１６は電源スイッチの第１の極５ａ側の回路を実装しているプリント配線板上に実装されても、同様の効果が得られる。
【００５４】
以上のように本実施例によれば、ロースター３を高火力としてかつ、電源スイッチ５を小型化できる上に、第４の駆動手段１４の基準電位を第２の整流手段２ｂと同電位とすることにより、基板実装上の絶縁距離の制約を最小限とすることができ、基板面積の小型化を図ることができる。
【００５５】
以上のように本実施例によれば、電源スイッチ５の異なる極に接続された第３の加熱手段３ａと第４の加熱手段３ｂを一つの制御手段で制御する場合に、第４の駆動手段１４の基準電位を第２の整流手段２ｂの２次側の低電位側と同電位とすることにより、基板実装上の絶縁距離等の制約を最小限とすることができ、電源スイッチ５を小型化して第３の加熱部３をマイコン制御する場合の基板の小型化を図ることができる。
【００５６】
【発明の効果】
以上のように、請求項１記載の発明によれば、第３の加熱部へ供給される電流が電源スイッチの第１の極と第２の極に分散されるため、第３の加熱部を高火力としても、３つの加熱部を同時使用する場合の電源スイッチの第１の極と第２の極に流れる最大電流のバランスがよく、定格が小さく安価な小型の電源スイッチを使用することが可能となる。
【００５７】
また、高火力なロースターの両面焼き構成が容易に実現でき、電源スイッチを小型化してかつ、両面加熱や片面加熱の調理が自在にできるようになる。
【００５８】
また、請求項２記載の発明によれば、電源スイッチの第１の極と第２の極に流れる電流の最大値がほぼ等しくなるように第３の加熱手段と第４の加熱手段の出力を設定することで、電源スイッチの片側の極に対するスペックがオーバースペックとなることなく、もっとも効率よく定格の小さい安価な小型の電源スイッチを使用することが可能となる。
【００５９】
また、請求項３記載の発明によれば、一つのスイッチ操作で最大火力での調理や、連続通電で中間火力の調理が可能となる。また、第３の加熱手段と第４の加熱手段の形状や取り付け構成によっては、加熱面積の切り替えや、加熱部分の切り替えが可能となり、電源スイッチを小型としてかつ、使い勝手を向上させることが可能となる。
【００６０】
また、請求項４記載の発明によれば、誘導加熱構成である第１の加熱手段を制御する第１の制御手段にて、第１の加熱手段と電源スイッチを同極とする第３の加熱手段と、第１の加熱手段とは電源スイッチを異極とする第４の加熱手段を制御するので、制御手段を一つのマイクロコンピュータにて構成できると共に、第３の加熱手段と第４の加熱手段の同時加熱や片側加熱、交互加熱やデューティー制御による火力設定が自在に行うことができ、電源スイッチを小型化してかつ使い勝手を向上させることができる。
【００６１】
また、請求項５記載の発明によれば、電源スイッチの異なる極に接続された第３の加熱手段と第４の加熱手段をマイクロコンピュータ等で制御する際の、基板実装上の絶縁距離等の制約を最小限とすることができ、電源スイッチを小型化してかつ、第３の加熱部をマイコン制御する場合の基板の小型化を図ることができる。
【００６２】
また、請求項６記載の発明によれば、電源スイッチを小型化して第３の加熱部を電源スイッチの異なる極に互いに接続された２つの加熱手段で構成しても、第３の加熱部の温度を一定に制御したり、第３の加熱部のオート調理を実現することが可能となる。
【図面の簡単な説明】
【図１】  本発明の第１の実施例における加熱調理器を示すブロック図
【図２】  同、第３の加熱部の例を示す図
【図３】  本発明の第２の実施例における加熱調理器を示すブロック図
【図４】  本発明の第３の実施例における加熱調理器を示すブロック図
【図５】  従来例における誘導加熱調理器を示すブロック図
【符号の説明】
１    第１の加熱手段
１ａ  第１の加熱コイル
１ｂ  第１の整流手段
１ｃ  第１のインバータ回路
２    第２の加熱手段
２ａ  第２の加熱コイル
２ｂ  第２の整流手段
２ｃ  第２のインバータ回路
３    第３の加熱部
３ａ  第３の加熱手段
３ｂ  第４の加熱手段
４    商用電源
５    電源スイッチ
５ａ  電源スイッチの第１の極
５ｂ  電源スイッチの第２の極
６    第１の操作スイッチ
７    第２の操作スイッチ
８    第３の操作スイッチ
８ａ  第３の操作スイッチＡ
８ｂ  第３の操作スイッチＢ
９    第１の駆動手段
１０    第１の制御手段
１１    第２の駆動手段
１２    第２の制御手段
１３    第３の駆動手段
１３ａ  第１のリレー
１３ｂ  第１のリレー駆動手段
１４    第４の駆動手段
１４ａ  第２のリレー
１４ｂ  第２のリレー駆動手段
１５    温度検知手段
１６    フォトカプラ
【図１】
0003685002.tif 000002
【図２】
0003685002.tif 000003
【図３】
0003685002.tif 000004
【図４】
0003685002.tif 000005
【図５】
0003685002.tif 000006